(57)【要約】【課題】  カップ部やバック布、ストラップなどを自由に取り換えることができ、カジュアルからフォーマルまでのアウターに応じて着こなしができる。また、カップ部によるバスト保持も自在補整でき、且つストラップを見えなくしたりズレにくくでき、ストラップの角度を最も着用感の良い角度に自在調整できる。【解決手段】  左右一対のカップ部２，２と、カップ部２，２の外側辺から延出する脇布３，３と、バック布４と、カップ部２，２の上端部からバック布４の上端部に掛け渡す一対のストラップ５，５とを備えたカップ部を有する衣類である。左右のカップ部２，２の胸側下端側辺同士およびストラップ５，５の両端部をカップ部２，２の上端部とバック布４の上端部ならびに脇布３，３の両側端部とバック布４の両端部に傾斜角度を変えることができる着脱自在の係止具７を取り付ける。【選択図】        図１
2005213657.tif 000002
【特許請求の範囲】
【請求項１】
左右一対のカップ部と、カップ部の外側辺から延出する脇布と、バック布と、カップ部の上端部からバック布の上端部に掛け渡す一対のストラップとを備えたカップ部を有する衣類であって、左右のカップ部の胸側下端側辺同士およびストラップの両端部とカップ部の上端部とバック布の上端部ならびに脇布の両側端部とバック布の両端部に傾斜角度を変えることができる着脱自在の係止具を取り付けたことを特徴とするカップ部を有する衣類。
【請求項２】
左右一対のカップ部と、カップ部の外側辺から延出する脇布と、バック紐と、左右カップ部の上端部同士を連結して首にかける1本のストラップとを備えたカップ部を有する衣類であって、左右のカップ部の胸側下端側辺同士およびストラップの両端部と左右カップ部の上端部ならびに脇布の両側端部とバック紐の両端部に傾斜角度を変えることができる着脱自在の係止具を取り付けたことを特徴とするカップ部を有する衣類。
【請求項３】
係止具は一方に凸部と小突起を有する雄係止具と、他方に凸部が嵌合する凹部と小突起と嵌合する３個の穴を設けた雌係止具とにより嵌脱自在に構成されている請求項1又は請求項２に記載のカップ部を有する衣類。
【請求項４】
係止具は熱可塑性樹脂からなる平板状の基板に取り付け箇所の生地を介して座板と超音波溶着でそれぞれの取り付け箇所に一体的に取り付けられている請求項１、２又は請求項３に記載のカップ部を有する衣類。
【発明の詳細な説明】
【技術分野】
【０００１】
本発明は、主としてブラジャーや水着などのバストカップが装着されている衣類に関するものであり、さらに詳しくは、カップ部やストラップ部、バック布を自由に取り替えることができ、バック部の形態を自由自在にすることが可能なカップ部を有する衣類に関するものである。
【背景技術】
【０００２】
カップ部を有する代表的な衣類であるブラジャーは、通常、乳房を覆う左右一対のカップ部や脇布、バック布などは連結して縫着してあり、各部材は取り外すことができなかった。中には肩や胸、背中の大きく開いた洋服を着用する時にストラップが見えると不体裁になることから、ストラップを取り外しできるブラジャーは提案されている。（例えば、参考文献１，２参照）
【０００３】
また、背面中央部で止める係止具に変えて前中心部で分離された左右カップ部を連結具により連結、分離するフロントホックブラジャーも提案されている。（例えば、参考文献３，４参照）
【特許文献１】特開平７−９０７０２号公報
【特許文献２】特開平７−２０７５０３号公報
【特許文献３】実開平５７−７１４０７号公報
【特許文献４】実公平４−１７５２３号公報
【発明の開示】
【発明が解決しようとする課題】
【０００４】
しかしながら、上記のフロントホックブラジャーは、一般的なブラジャーにおけるバック布の背面中央部で止める係止具を前中心部に変えただけのものであり、カップ部やバック布を取り換えたりすることはできなかった。また、バストをアップするなどの機能を有するものではなかった。
【０００５】
本発明は、上記の問題点を解決することを課題として開発されたもので、カップ部やバック布、ストラップなどを自由に取り換えることができ、カジュアルからフォーマルまでのアウターに応じて着こなしができると共に、カップ部によるバスト保持も自在補整でき、且つストラップを見えなくしたりズレにくくでき、ストラップの角度を最も着用感の良い角度に自在調整できるカップ部を有する衣類を提供することを目的とするものである。
【課題を解決するための手段】
【０００６】
上記の課題を解決し、その目的を達成する手段として、本発明は、左右一対のカップ部と、カップ部の外側辺から延出する脇布と、バック布と、カップ部の上端部からバック布の上端部に掛け渡す一対のストラップとを備えたカップ部を有する衣類であって、左右のカップ部の胸側下端側辺同士およびストラップの両端部とカップ部の上端部とバック布の上端部ならびに脇布の両側端部とバック布の両端部に傾斜角度を変えることができる着脱自在の係止具を取り付けたことを特徴とするカップ部を有する衣類を開発し、採用した。
【０００７】
また、本発明は、左右一対のカップ部と、カップ部の外側辺から延出する脇布と、バック紐と、左右カップ部の上端部同士を連結して首にかける１本のストラップとを備えたカップ部を有する衣類であって、左右のカップ部の胸側下端側辺同士およびストラップの両端部と左右カップ部の上端部ならびに脇布の両側端部とバック紐の両端部に傾斜角度を変えることができる着脱自在の係止具を取り付けたことを特徴とするカップ部を有する衣類を開発し、採用した。
【０００８】
また、上記のように構成したカップ部を有する衣類において、係止具は一方に凸部と小突起を有する雄係止具と、他方に凸部が嵌合する凹部と小突起と嵌合する３個の穴を設けた雌係止具とにより嵌脱自在に構成されているカップ部を有する衣類および係止具は熱可塑性樹脂からなる平板状の基板に取り付け箇所の生地を介して座板と超音波溶着でそれぞれの取り付け箇所に一体的に取り付けられているカップ部を有する衣類を開発し、採用した。
【発明の効果】
【０００９】
左右カップ部およびバック布、ストラップが係止具によって着脱自在になっているから、色、模様、デザインなどの異なるものとの組み合わせが可能となり、趣の変わったブラジャーになり、その日の気分によって種々のお洒落を楽しむことができる。また、カップサイズが適合していない場合、適合するバストカップに代えることができる。
【００１０】
背面部の形態を自由にでき、背中の中央部でＸ状に交差するストラップを使用することにより、肩からのズレ落ちを防止でき、また、透明合成樹脂テープからなるストラップを用いることにより、薄い生地の洋服、ブラウス、Ｔシャツを着用した時に、ストラップが見えなく目立たないので体裁が良くなる。さらに、背中の大きく開いた洋服を着用した時に、バック紐を用いたものを用いるとバック布が露出しないのでお洒落なものになる。
【００１１】
また、左右カップ部の胸側下端側辺に傾斜角度を変えられる係止具を取り付けてあるから、バストカップでの保持する形をノーマルの状態、バストアップの状態、バストをリラックスした状態の３段階に調節でき、着用の時、所、場合に応じて調整できる。そして、ノーマル、アップ、リラックスの３段階の調整は、雄係止具に設けた小突起と、雌係止具に設けた３個の穴によって簡単に調整できる。
【００１２】
また、ストラップも首側に寄った内向き、垂直に近い状態、肩側に寄った外向きの３段階の調整が可能となり、着用者の肩形状に起因する最も着け心地のよい角度に変えることができ、圧迫感や違和感を生じることがない。また、肩から胸にかけて大きく開いたアウターを着用した時に、ストラップを外向きにすればストラップが見えなくなる。
【発明を実施するための最良の形態】
【００１３】
以下に、本発明の実施の形態をカップ部を有する衣類の代表的なブラジャーについて説明を行うが、ブラジャーに限定されるものではなく、図示していないが、例えばボディスーツ、水着、レオタードなどのバストを支えるカップ部を有し、バストの保形、整容などの造形機能を必要とする衣類であれば、何れにも適用できるものである。
【００１４】
図1は本発明の第１実施の形態を示しており、ブラジャー１は、左右一対のカップ部２，２と、そのカップ部２，２の側辺から延出する脇布３，３と、バック布４と、カップ部２，２の上端部とバック布４の上端部に掛け渡す左右のストラップ５，５から構成されている。
【００１５】
カップ部２，２は表生地と一定の厚みと保形性、弾力性を有する素材のパット材と裏生地を重合し、熱成形プレスによって膨出して椀状に一体形成されたシームレスカップであり、下辺湾曲部に沿ってワイヤー６，６が配されている
【００１６】
脇布３はカップ部２の外側辺に延出する三角形状に形成されており、長さ方向および幅方向の両方向に伸縮性を有しているが、特に長さ方向により大きな伸縮性を持っている。４は脇布3と連結する身体の側部から背面部に当接する細幅帯状のバック布。５はカップ部２の上端部からバック布４の上端部に掛け渡すストラップである。
【００１７】
左右のカップ部２，２の下端側辺同士およびストラップ５，５の両端部とカップ部２，２の上端部とバック布４の上端部ならびに脇布３，３の両側端部とバック布４の両端部の箇所にそれぞれ係止具７を取り付けてある。
【００１８】
この係止具７は、図４〜図５に示すように、方形状の基板８に連設する円形板９の内面側に凸部１０を突設し、その凸部１０の下方に小突起１１を設けた雄係止具７ａと、基板８上に取り付け箇所の生地１２を介し座板１３の突起爪１３ａを生地１２に突き刺し、突起爪１３ａの先端部を超音波溶着で基板８と一体化して雄係止具７ａを構成している。（図２，図３）
【００１９】
一方、雌係止具７ｂは図６〜図８に示すように、方形状の基板８に連設する円形板９の内面側に前記凸部１０が嵌合する凹部１４を有し、その凹部１４の上部に前記小突起１１が嵌合する中央部の横長穴１５、左右の円形穴１６，１７が穿設されている。この雌係止具７ｂにおいても、前記雄係止具７ａと同じように、基板８上に取り付け箇所の生地１２を介し座板１３の突起爪１３ａを生地１２に突き刺し、突起爪１３ａの先端部を超音波溶着で基板８と一体化して雌係止具７ｂを構成している。
【００２０】
このように構成した実施の形態１の使用状態を作用、効果と共に説明すると、カップ部２、バック布３、ストラップ５がそれぞれ係止具７によって着脱自在になっているから、それらを自由自在に交換でき、色、模様、デザインなど異なったものと組み合わせることにより趣の異なったブラジャーを楽しむことができる。
【００２１】
すなわち、図１３Ａに示すように、バックホックがなく、ストラップ５，５の端部とバック布４の上端が係止具７，７によって連結されたものを使用することにより、従来のバックホックタイプのような腕を動かした時に背中の肩甲骨が動いて背中のホックが外れたりするような憂いがない。また、図１３Ｂに示すように、左右のストラップ５，５を背中の中央部でＸ状に交差させることにより、肩からのズレ落ちを防止できると共に、カップ部２がバストにピッタリとフイットする。さらに、図１３Ｃに示すように、ストラップ５，５を透明な合成樹脂テープに変えることにより、薄い生地の洋服、ブラウスなどを着用した時に、ストラップ５が見えなくなって目立たないので体裁が良くなる。
【００２２】
一方、図１０Ａに示すように、左右カップ部２，２の下端側辺部の一方に取り付けた雄係止具７ａの凸部１０および小突起１１を、他方に取り付けた雌係止具７ｂの凹部１４および中央部の横長穴１５に嵌合することにより、雄・雌係止具７ａ，７ｂが横一直線となりバストはノーマルの状態で保持される。
【００２３】
さらに、図１０Ｂに示すように、雄係止具７ａの凸部１０および小突起１１を、他方に取り付けた雌係止具７ｂの凹部１４および上部の円形穴１６に嵌合することにより、雄係止具７ａの基部が雌係止金具７ｂに対して斜め上方に傾斜することになり、バストの下部を持ち上げてアップした状態を保持する。
【００２４】
また、図１０Ｃに示すように、雄係止具７ａの凸部１０および小突起１１を、他方に取り付けた雌係止具７ｂの凹部１４および下部の円形穴１７に嵌合することにより、雄係止具７ａの基部が雌係止金具７ｂに対して斜め下方に傾斜することになり、バストの下部を持ち上げていたのが解かれリラックス状態を保持する。
【００２５】
一方、ストラップ５は図１１〜図１２に示すように、雄係止具７ａの凸部１０および小突起１１を、他方に取り付けた雌係止具７ｂの凹部１４および中央部の横長穴１５に嵌合することにより、カップ部上部とバック布上部に掛け渡したストラップ５が略垂直な状態で吊設される。
【００２６】
また、雄係止具７ａの凸部１０および小突起１１を、他方に取り付けた雌係止具７ｂの凹部１４および左の円形穴１６に嵌合することにより、雄係止具７ａの基部が雌係止金具７ｂに対して首寄り側向きに傾斜してストラップ５の滑り落ちを防止できる。
【００２７】
さらに、雄係止具７ａの凸部１０および小突起１１を、他方に取り付けた雌係止具７ｂの凹部１４および右の円形穴１７に嵌合することにより、雄係止具７ａが雌係止金具７ｂに対して肩より側向きに傾斜して、胸の開いた洋服を着用した時にストラップを見えないようにする。
【００２８】
つぎに、図１４に示すのは本発明の第２実施の形態を示すもので、上記第１実施の形態とは、ストラップ５を１本とし、一方のカップ上部から他方のカップ上部を繋ぎ首の後に回して止める点とバック布4に変わってテープ状の紐１８を用いた点のみ異なっているだけであり、上記第1実施の形態で述べたカップ部２、脇布３の構成は第1実施の形態と同一であるから、それらの説明を省略すると共に、同一部分には同じ符号を付してある。
【００２９】
このように構成したカップ部を有する衣類は、上記第１実施の形態と同様の作用を発揮すると共に、図１５Ａに示すように、ストラップ５を首の後方に回して引っかけると共に、脇布３に連結するバック紐１８を背面部の中央下方でＸ字状に交差させた後、ウエスト前方に延長させて係合具１９により係合することにより、バック紐１８が斜め内側よりの張力が作用して滑り落ちることがなく、且つ背中が大きく開いた洋服を着た時に、バック紐１８が見えることがないので体裁がよいものとなる。
【００３０】
また、図１５Ｂに示すように、バック紐１８を透明合成樹脂テープにすることにより、背中が大きく開いた洋服を着た時に、バック紐１８が目立たないのでお洒落なブラジャーになる。
【００３１】
以上、本発明の主要な実施の形態について説明したが、本発明は、これらの実施に限定されるものではなく、発明の目的を達成でき、且つ発明の要旨を逸脱しない範囲内で種々の設計変更が可能であり、それらも全て本発明の範囲内に包含されるものである。
【産業上の利用可能性】
【００３２】
ブラジャーに限らず、ボディスーツ、レオタード、水着など乳房受用のカップ部を有し、乳房の保形、成形などの造形機能を必要とする女性用衣料であれば、いずれにも利用できるものである。
【図面の簡単な説明】
【００３３】
【図１】本発明の第１実施の形態を示すブラジャーの簡略斜視図である。
【図２】係止具の正面図である。
【図３】図２のＡ−Ａ線断面図である。
【図４】雄係止具の背面図である。
【図５】図４のＢ−Ｂ線断面図である。
【図６】雌係止具の正面図である。
【図７】図６のＣ−Ｃ線断面図である。
【図８】図６のＤ−Ｄ線断面図である。
【図９Ａ】座板の正面図である。
【図９Ｂ】座板の背面図である。
【図９Ｃ】座板の底面図である。
【図１０Ａ】雄・雌係止具が横一直線に係合する状態を示す正面図である。
【図１０Ｂ】雄係止具の基部が雌係止具に対して斜め上方に傾斜する状態を示す正面図である。
【図１０Ｃ】雄係止具の基部が雌係止具に対して斜め下方に傾斜する状態を示す正面図である。
【図１１】ストラップの使用状態を示す正面図である。
【図１２】図１１の要部拡大図である。
【図１３Ａ】本発明の第１実施の形態のバック部を示す背面図である。
【図１３Ｂ】本発明の第１実施の形態の別のバック部を示す背面図である。
【図１３Ｃ】本発明の第１実施の形態のさらに別のバック部を示す背面図である。
【図１４】本発明の第２実施の形態を示すブラジャーの斜視図である。
【図１５Ａ】本発明の第２実施の形態のバック部を示す背面図である。
【図１５Ｂ】本発明の第２実施の形態の別のバック部を示す背面図である。
【符号の説明】
【００３４】
１    ブラジャー
２    カップ部
３    脇布
４    バック布
５    ストラップ
７    係止具
７ａ  雄係止具
７ｂ  雌係止具
８    基板
１０  凸部
１１  小突起
１３  座板
１４  凹部
１５  横長穴
１６  左円形穴
１７  右円形穴
１８  バック紐
【図１】
2005213657.tif 000003
【図２】
2005213657.tif 000004
【図３】
2005213657.tif 000005
【図４】
2005213657.tif 000006
【図５】
2005213657.tif 000007
【図６】
2005213657.tif 000008
【図７】
2005213657.tif 000009
【図８】
2005213657.tif 000010
【図９Ａ】
2005213657.tif 000011
【図９Ｂ】
2005213657.tif 000012
【図９Ｃ】
2005213657.tif 000013
【図１０Ａ】
2005213657.tif 000014
【図１０Ｂ】
2005213657.tif 000015
【図１０Ｃ】
2005213657.tif 000016
【図１１】
2005213657.tif 000017
【図１２】
2005213657.tif 000018
【図１３Ａ】
2005213657.tif 000019
【図１３Ｂ】
2005213657.tif 000020
【図１３Ｃ】
2005213657.tif 000021
【図１４】
2005213657.tif 000022
【図１５Ａ】
2005213657.tif 000023
【図１５Ｂ】
2005213657.tif 000024